(57)【要約】【課題】洗濯機糸くずフィルター内に溜まったゴミが、糸くずフィルターに絡まる原因をなくすことにより、繊維くずや異物を簡単に取り除くことができるようにする。【解決手段】洗濯機糸くずフィルターの織物を細かい織目を採用することで、繊維くずなどは浮いた状態で捕集されるため目詰まりもなく簡単に除去できる。  また水切りが良いため糸くずフィルター内に溜まった繊維くずなどによる汚れがなく、除去する手間暇が省ける。  更に、縫い目を外側にすることで繊維くずや異物を簡単に取り除くことができるようにする。【選択図】図１
2015091288.tif 000002
【特許請求の範囲】
【請求項１】
合成繊維の紡績糸の打ち込み本数を、１インチ当り経糸もしくは緯糸が６０〜１４０本/インチである織物を使った洗濯機の糸くずフィルター。
【請求項２】
糸くずフィルターの形状を、袋状もしくは捕集シート状の何れか１つの形状を使った請求項１の洗濯機の糸くずフィルター。
【発明の詳細な説明】
【技術分野】
【０００１】
本発明は洗濯機糸くずフィルターに関するものである。
【背景技術】
【０００２】
従来、縦型洗濯機・洗濯乾燥機、２槽式洗濯機で洗濯をした場合、洗濯機に標準装備されている糸くずフィルター内に繊維くずや石鹸カス、砂や泥等を溜め込んでいる。
その溜まった繊維くずや石鹸カス、砂や泥等を除去するには、裏返しにして除去するが、繊維くずなどがフィルターの織目や縫い目に絡んでおり手間暇がかかっている。
この解決法の一つとして、形状が三角形の袋状になった不織布と一体となったゴムからなる使い捨て可能な洗濯機糸くずフィルター用取り付け具なども開発されているが、使い捨てのため環境に優しい方法とは言えない。（例えば、特許文献１参照）
【先行技術文献】
【特許文献】
【０００３】
【特許文献１】特開２００８−２２９３０４
【発明の概要】
【発明が解決しようとする課題】
【０００４】
従来の技術で述べたものは、洗濯機に標準装備されている袋状の糸くずフィルター内に溜まった繊維くずや石鹸カス、砂や泥等を除去するためには、裏返しにして水中で洗い落とすか、歯ブラシなどでフィルターをこすり除去しているが、繊維くずなどがフィルターの織目や縫い目に絡んでおり、綺麗に除去するのに手間暇がかかっている。
【０００５】
そこで本発明は、洗濯機の糸くずフィルターに溜まった繊維くずや石鹸カス、砂や泥等が付着し難いという課題解決に取り組み、糸くずフィルター内に溜まった繊維くずなどが簡単に除去できる糸くずフィルターを提供しようとするものである。
【課題を解決するための手段】
【０００６】
請求項１に記載の本発明は、合成繊維の紡績糸の打ち込み本数を、１インチ当り経糸(たていと)もしくは緯糸(よこいと)が６０〜１４０本/インチである織物を使って洗濯機の糸くずフィルターを得る。
【０００７】
請求項２に記載の本発明は、糸くずフィルターの形状を、袋状もしくは捕集シート状の何れか１つの形状を使った請求項１に記載の洗濯機糸くずフィルターを得る。
【発明の効果】
【０００８】
本発明は、細かい織目を採用することで、繊維くずなどが織目に引っかかって目詰まりしないため、フィルターより浮いた状態で捕集され、簡単に除去することができる。また水切りが良いため糸くずフィルター内に溜まった繊維くずによる汚れがなく、いつまでも清潔感を保持することができ、除去する手間暇が省け、楽しく洗濯ができる。
【０００９】
袋の縫い目については、縫い目が外側の方が縫い目に繊維くずなどが絡み難く、フィルター内に溜まったものを簡単に除去することができる。更に、糸くずフィルター袋の底の部分を折る方が縫い目に付着する繊維くずや石鹸カス、砂、泥が少なくなり、より簡単に除去することができる。
【図面の簡単な説明】
【００１０】
【図１】本発明の袋状糸くずフィルターの一実施形態を示す斜視図である。
【図２】本発明の捕集シート状糸くずフィルターの外枠と格子の平面図である。
【図３】本発明の捕集シート状糸くずフィルターの一実施形態を示す平面図である。
【発明を実施するための形態】
【００１１】
請求項１に記載の本発明は、合成繊維の紡績糸の打ち込み本数を、１インチ当り経糸もしくは緯糸が６０〜１４０本/インチを打ち込んだ織物を使って洗濯機の糸くずフィルターを得る。
ナイロン、ポリエステル、ポリプロピレン、アクリル繊維の素材を使った合成繊維を使うことで、親水性の繊維であるコットンやレーヨン繊維の繊維くずが、相反する性質の疎水性である合成繊維には付き難いことから、糸くずやそれに付着したゴミを除去し易くなる。
【００１２】
従来の縦型洗濯機・洗濯乾燥機、２槽式洗濯機は、ドラム式洗濯乾燥機に比べて生地が傷み易く、洗濯をした場合に繊維くずなどが出やすい。市販の洗濯機に標準装備されている糸くずフィルターの織目は多少の違いがあるものの、一般的には２５〜６０本/インチのものが使用されている(例えば、日立製ＮＷ−Ｄ７ＬＸＥ７型は２５×６０本/インチのものが２個標準装備されている)。
これに対し、本発明は、標準装備されている糸くずフィルターより、織目を細かくすることで、フィルター内に留まっている繊維くずや石鹸カス、砂や泥を簡単に除去し易くすることを考案した。
打ち込み本数は、６０本/インチより粗いと細かい繊維くずが流出したり、織目に引っかかって目詰まりの原因になり、このために繊維くずが取れ難くなっている。また、１４０本/インチよりも細かいと洗濯水の通りが悪くなり、更に目詰まりしてくると洗濯水がフィルターを通らなくなりフィルターの役目をしなくなる。
【００１３】
請求項２に記載の本発明は、糸くずフィルターの形状を、袋状もしくは捕集シート状の何れか１つの形状を使った請求項１の洗濯機糸くずフィルターを得る。
【００１４】
袋状の糸くずフィルターは、図１のように、プラスチック製枠(１)に該織物(２)を溶着もしくは接着し糸くずフィルターを得る。
【００１５】
袋状のフィルターを得る場合の袋の縫い方については、袋縫い、ロックミシン縫いのどちらの方法でも良く、袋の縫う部分も、袋の２つの側面と底の３部分や側面の２部分でも良いが、縫う部分への引っ掛かりを避ける上では、底の部分は縫わずに折り曲げた方が良い。
【００１６】
袋状の糸くずフィルターの場合、縫い目を外側にすることで、縫い目の部分に繊維くずや石鹸カスや砂や泥が付着し難くすることができる。
【００１７】
捕集シート状の糸くずフィルターは、図２のように、プラスチック製枠(４)に格子(３)を付けた一体型成形品に該織物を溶着もしくは接着して得られる。
【００１８】
１台の洗濯機に２個の糸くずフィルターを装備し、片方には本発明で得られた袋状の糸くずフィルターを装着して実施例として、もう一方には洗濯機に標準装備されているフィルターを装着して比較例として、２か月間使用した。これらの例では、フィルターに溜まる繊維くずや石鹸カス、砂や泥等の使用後の掃除のし易さについて比較した。
洗濯機は日立製縦型洗濯乾燥機(ＮＷ−Ｄ７ＬＸＥ７型)を使用した。
以下、実施例によって本発明をさらに詳細に説明するが、本発明はこれら実施例に限定されるものではない。
【実施例１】
【００１９】
図1は、糸くずフィルター用本体の斜視図である。
糸くずフィルターは、東レ製スカイラークＣ−１１９(ポリエステルシャー、打ち込み本数は経糸１００本/インチ、緯糸８９本/インチ、使用糸は３０デニール)を使用した。
２か月使用後の糸くずフィルターを顕微鏡で観察したところ、生地の織目の中や縫い目に繊維くずなどは入り込んでいない状態で、浮いた状態で捕集されており、このため簡単に除去することができた。
【比較例】
【００２０】
標準装備の糸くずフィルターは２５×６０本/インチのもので行った。
２か月使用後の糸くずフィルターは、糸くずフィルター内に溜まった繊維くずなどによる汚れが酷く、清潔感もない。綺麗に除去するのに手間暇がかかった。
使用後の糸くずフィルターを顕微鏡で確認したところ、生地の織目の中や縫い目に繊維くずなどが入り込んでおり、目詰まりを起こしていた。これは、織目が粗いために起こったものと考えられる。また、水切りが悪いことも確認した。
【００２１】
紡績糸のデニール表示と綿番手の関係は、デニールが９０００メートルの重さは１ｇが１デニールとし、２ｇの時を２デニール、綿番手は、７６８．１ｍ（８４０ヤード）の長さが４５３．６ｇ（１ポンド）の重さの時を１番手とし、７６８．１ｍ×２の長さの糸の重さが１ポンドの場合を２番手としている。
この関係より、デニールをＤとし番手をＳとすると、次の式が成り立つ。
Ｄ（デニール）＝５３１４．９／Ｓ（番手）
また、デニール表示の糸の直径とデニールの関係は、直径φ（ｃｍ）、デニールＤ、
比重ｄ、重さｗ（グラム）とすると、比重＝重量（グラム）／体積（立法センチメートル）の関係より、次の式が成り立つ。
φ（ｃｍ）＝ＳＱＲ（Ｄ／ｄ）×０．００１１８３２
この関係より次表が導かれる。
表．紡績糸直径（ｍｍ）
【表１】
2015091288.tif 000003
【００２２】
打ち込み本数の径と緯が同じ場合について織目の幅と長さについて考察すると、（００２０）の表を使って、１インチ（２５．４ｍｍ）間に紡績糸を２５本打ち込む場合の織目１つの長さは、1.016ｍｍ（25.4／25）−0.055ｍｍ（３０デニールのポリエステル紡績糸の直径）＝0.96ｍｍとなる。同じように、本発明の６０本打ち込み時は、0.368ｍｍとなる。この結果、本発明の織物に使用する紡績糸が通常の番手（４０〜８０番手）とすると紡績糸の太さは実施例１の６０番手に比べて太くなる方向であり、織目は小さくなる。本発明は、織目を小さくして洗濯時の糸くずが織目に入りにくくなるため、織物に使う紡績糸の太さは、通常使う紡績糸の範囲内で使用可能なため特定しないこととした。
【００２３】
シャツ地やセーターなどに使われる紡績糸は、４０番手から６０番手が多い。このため、洗濯時にフィルターに引っかかる糸くずも、これらの番手の脱落した糸がほとんどである。（００２０）の計算によると、打ち込み本数が少ない２５本は、織目の幅が０．９６ｍｍの間隔があり、４０番手の綿糸の直径０．１１ｍｍの太さの糸の端がこの織目に入る可能性は高い。一方、本発明の６０本の打ち込み本数とすると、織目は、0.368ｍｍとなり、綿糸の端がこの織目に入る可能性は小さくなる。この試算からすると、６０本の打ち込み以上にすることで、糸くずの橋がフィルターの織目に入る可能性が少なく、この結果、フィルター上の糸くずは取り易くなる。
【符号の説明】
【００２４】
１プラスチック製枠
２本発明の織物
３縫い目部
【図１】
2015091288.tif 000004
【図２】
2015091288.tif 000005
【図３】
2015091288.tif 000006